(57)【要約】【課題】電気または電子機器が発振する電磁波の人体に及ぼす障害から身を守ろうとする人が、電気または電子機器に囲まれた環境下にいても安心して電磁波障害防護を可能にするための装身具を提供する。【解決手段】電磁波障害の原因である脳波の乱れを正常化させるためにα波と同じ周波数の微弱な電磁波を発振する物質をアルミニウム合金製本体部に内蔵させ、電磁波による多周波数混成電磁場による生物学的ストレス情報を相殺し、電磁波障害による脳波の乱れを正常化させる構造とした。またこの種用具は電磁波障害防護具を身に付けていることが判らないように前記アルミニウム合金製部材をラインストーン、ビーズ、マニキュア液、アクリル絵具等で装飾し、ペンダント、ヘアーアクセサリー、ピアス、イヤリング等の装身具として用いるようにした。【選択図】図１
0003123298.tif 000002
【実用新案登録請求の範囲】
【請求項１】
電磁波に共振してα波を発振するアルカリ金属化合物の水溶液を内蔵したアルミニウム合金製部材の表面をラインストーンまたはビーズで装飾した電磁波障害防護装身具。
【請求項２】
電磁波に共振してα波を発振するアルカリ金属化合物の水溶液を内蔵したアルミニウム合金製部材の表面をラインストーン及びビーズで装飾した電磁波障害防護装身具。
【請求項３】
アルミニウム合金製部材をマニキュア液またはアクリル絵具で色彩装飾した請求項１及び請求項２記載の電磁波障害防護装身具。
【請求項４】
アルミニウム合金製部材をマニキュア液及びアクリル絵具で色彩装飾した請求項１及び請求項２記載の電磁波障害防護装身具。
【考案の詳細な説明】
【技術分野】
【０００１】
本考案は、電磁波障害から人体を防護するための装身具に関する。
【背景技術】
【０００２】
急激なＩＴ社会への移行で、職場、家庭、学校のいずれにおいてもパソコン、携帯電話、テレビ等の電気または電子機器に囲まれた環境が当たり前になり、否でも応でも、日常的に室内、室外を問わず人工の電磁波を浴びるのが現実となっている。
そして、これら電気または電子機器が発振する電磁波の人体に及ぼす影響には、目の充血やかゆみ、ドライアイ、頭痛、首や肩の凝り、不眠、気分の落ち込み、肌のアレルギー等といった様々な生理的、神経心理的な障害がある。
【０００３】
従来の電磁波障害から人体を防護するための手段としては、電磁波を発振する機器に設置し機器が発する電磁波の影響を除害するもの（例えば、特許文献１参照。）、電磁波をシールドするもの（例えば、特許文献２参照。）、コンセントと電気又は電子機器の間に電磁波発振抑制装置を設置し、電磁波の発生を接地によって抑えるもの（例えば、特許文献３参照。）、等がある。しかしながら、人が着用することによって何処にいても電磁波障害から人体を防護するものはなかった。
【特許文献１】特表平８−５００９８４号公報
【特許文献２】特開平３−９７２７８号公報
【特許文献３】実用新案登録第３０１６９７７号公報
【考案の開示】
【考案が解決しようとする課題】
【０００４】
通信技術の進歩や電気または電子機器の普及で人類はこれら機器が発振する電磁波による障害が大きな問題となっている。このような電磁波障害は電磁波ストレスともＶＤＴ症候群とも呼ばれ、２１世紀の公害として関心が高い。
【０００５】
電磁波の中でも超低周波が最も危険と言われており、免疫システムにかかわるホルモンのメラトニンや免疫グロビリンなどの生成を低下させ、遺伝子を損傷し、ガンが発生しやすくなるなど健康を損なう恐れがあると最新の研究で指摘されている。超低周波は、コンクリートやほとんどの金属、木材、生体、プラスチック、ガラスを透過してしまうため、防護装置を機器に設置したとしても超低周波が原因となる生理的または神経心理的不調である電磁波障害を防護することが出来なかった。
【０００６】
本考案は電気または電子機器が発振する電磁波の人体に及ぼす障害から身を守ろうとする人が、電気または電子機器に囲まれた環境下にいても安心して電磁波障害防護を可能にするための装身具を提供する。
【課題を解決するための手段】
【０００７】
電磁波障害は外部から受ける電磁波によって生ずる脳波の乱れが原因であると言われている。この脳波の乱れを正常化させるために８〜１２Ｈｚのα波と同じ周波数の微弱な電磁波を発振するアルカリ金属化合物の水溶液をアルミニウム合金製部材に内蔵させ、電磁波による多周波数混成電磁場における生物学的ストレス情報を相殺し、電磁波障害による脳波の乱れを正常化させる構造とした。
またこの種用具は電磁波障害防護具を身に付けていることが明白なものは訪問先で不快感を与える可能性もあり考慮すべきである。本考案では前記アルミニウム合金製部材をラインストーンやビーズで装飾し、ペンダント、ヘアーアクセサリー、ピアス、イヤリング等の装身具として用いるようにした。
【考案の効果】
【０００８】
本考案は、発振するα波によって電磁波障害による脳波の乱れを正常化すること、すなわち電磁波障害防護を、本考案品を身近な装身具として着用することにより、他人に過剰に意識させたり、また不快感を与えることなく、さりげなく行なうことを可能にする。
【考案を実施するための最良の形態】
【０００９】
本考案は、前記の問題解決を装身具として提供するものであり、以下実施するための最良の形態を図面により説明する。
【００１０】
室内、室外を問わず人工の電磁波を浴びる環境が現実となった現代では、電磁波障害に対し自己防衛することで頭痛、肩こり、だるさ、慢性的な疲労、目の痛み、乾燥、吐き気作業能力や集中力の低下、記憶力減退等の症状を軽減させ、心身ともに健康な生活を送る必要がある。しかしながら、一見して電磁波障害を防護するための商品であることが明瞭であるものは訪問先等で必ずしも好感を持って迎えてくれることはなく、違和感や不快感を与えることになる可能性が大である。
【００１１】
前記の観点から特殊な構造ではなく、一般のアクセサリーとして不自然に見えないようなデザインを、高級感がありジュエリーに似た輝きを有するラインストーン２やビーズ３による装飾を加えることによって完成した。使用するラインストーン２はケイ石、石炭、ソーダ、酸化鉛等を高温で溶融混合した透明度の高いクリスタルガラス製のものが高級感を醸し出すのに有効である。ビーズ３は樹脂製を使用すれば好みの配色ができるので好都合である。また、アルミニウム合金製部材１はマニキュア液やアクリル絵具で色彩装飾するのも装身具として有効である。これらの装飾を施した電磁波障害防護装身具を着用することで、他人の目を気にすることなく、室内、室外を問わず常に電磁波障害の危険を回避することが可能となる。
【００１２】
電磁波障害による脳波の乱れを正常化するための８〜１２Ｈｚのα波と同じ周波数の電磁波は、強過ぎると脳にストレスを与え逆効果となる。このことを考慮して本考案の装身具が発振するα波と同じ周波数の電磁波は到達距離が３０ｃｍ程度と微弱なものにした。従って、本考案の装身具は頭部に近いところで着用するヘアーアクセサリー、ペンダント、ピアス、イヤリング等として利用するのが特に効果的である。
【００１３】
電磁波障害は小児に対しても広がりつつある。電磁波が頭部を貫くコンピューターシミュレーションでは、子供は大人より頭蓋骨が薄いため大人より１０歳の子供の方が、１０歳より５歳の子供の方が、より多く吸収され影響を受けやすい。子供達がパソコン、テレビ、テレビゲーム等の機器に向かう場合、ヘアーアクセサリーやペンダントとして着用させることで子供を電磁波障害から防護することが可能となる。
【００１４】
本考案の電磁波障害防護装身具を着用することによって免疫、ホルモン機能などの生物学的活動やストレスレベルのコントロールに関して主要な役割を担っている脳の電磁波障害による脳波の乱れが正常化される。脳波が正常な状態に戻ることで、人間や動物の組織全体のストレスが減少し、健康が維持されることになる
【実施例】
【００１５】
本考案の詳細を実施例で説明する。本考案はこれら実施例によって何ら限定されるものではない。
【００１６】
図１及び図３に本考案の電磁波障害防護装身具の実施例を示す。幅１３ｍｍ、高さ６ｍｍ、奥行３１ｍｍのアルミニウム合金製本体部１をラインストーン２で装飾し、ペンダントトップとして実施した。アルミニウム合金製部材１の内部は図２に示すようにアルカリ金属化合物の水溶液４を内蔵する構造とした。アルミニウム合金製部材１はチェーン通し穴６を有する銀合金製の基板５に接着して装身具とした。これらのペンダントトップの重量は約２．１ｇと軽量であり、長時間の着用が可能である。そしてこれらペンダントトップを、パソコン操作を日常業務とし、目の充血や肩こりで悩んでいた２０代の女性が着用したところ、約２週間でこれらの症状がなくなる結果を得た。
【図面の簡単な説明】
【００１７】
【図１】ラインストーンで装飾したペンダントトップの実施例を示す図である。
【図２】図１のＡ−Ａ′断面図である。
【図３】ビーズで装飾したペンダントトップの実施例を示す図である。
【符号の説明】
【００１８】
１  アルミニウム合金製部材
２  ラインストーン
３  ビーズ
４  アルカリ金属化合物の水溶液
５  基板
６  チェーン通し穴
【図１】
0003123298.tif 000003
【図２】
0003123298.tif 000004
【図３】
0003123298.tif 000005